(57)【要約】【課題】電動作業機に対するアダプタの安定的な装着を可能としつつ、アダプタが装着された状態で、電動作業機の内部及びアダプタの構成物に対する塵や水などの異物の浸入を抑制又は防止でき且つ使用者がアダプタにアクセスできるようにする。【解決手段】通信アダプタ装着装置８は、電動作業機１の外表面１１に設けられた開口部１２を有し、開口部１２を介して通信アダプタを着脱可能に構成されている。また、通信アダプタ装着装置８は、開口部１２を覆うキャップ３０を備えている。キャップ３０は開口部１２に対して開閉可能に設けられている。キャップ３０には、通信アダプタが通信アダプタ装着部８に装着されて且つキャップ３０が閉じられた状態のまま、電動作業機１の外部から通信アダプタにアクセスすることが可能に構成された、キャップ側インタフェース部が設けられている。【選択図】図１
2018069431.tif 000002
【特許請求の範囲】
【請求項１】
電動作業機に設けられ、前記電動作業機と外部装置との無線によるデータ通信を行うための通信アダプタが着脱可能に装着される通信アダプタ装着装置であって、
前記通信アダプタは、前記通信アダプタの外部への情報出力及び前記通信アダプタに対する操作入力の少なくとも一方が可能に構成されたアダプタ側インタフェース部を備えており、
当該通信アダプタ装着装置は、
前記電動作業機の外表面に設けられた開口部を有し、前記開口部を介して前記通信アダプタを着脱可能に構成されたアダプタ収容部と、
前記開口部に対して開閉可能に設けられ、閉じることにより前記開口部が塞がれるように構成されたキャップと、
前記キャップに設けられ、前記通信アダプタが前記アダプタ収容部に装着されて且つ前記キャップが閉じられた状態のまま、前記電動作業機の外部から、前記アダプタ側インタフェース部の視認、及び前記アダプタ側インタフェース部に対する前記操作入力、の少なくとも一方が可能に構成されたキャップ側インタフェース部と、
を備える、通信アダプタ装着装置。
【請求項２】
請求項１に記載の通信アダプタ装着装置であって、
前記通信アダプタは、前記アダプタ側インタフェース部として、表示により前記情報出力を行う表示部を備えており、
前記キャップ側インタフェース部は、前記アダプタ収容部に装着された状態の前記通信アダプタにおける前記表示部に対応した位置に設けられ、前記表示部による前記表示の内容を視認可能に構成された視認窓部を有する、
通信アダプタ装着装置。
【請求項３】
請求項１又は請求項２に記載の通信アダプタ装着装置であって、
前記通信アダプタは、前記アダプタ側インタフェース部として、押し操作を受け付け可能なアダプタ側操作部を備えており、
前記キャップ側インタフェース部は、前記アダプタ収容部に装着された状態の前記通信アダプタにおける前記アダプタ側操作部に対応した位置に設けられ、外部から押し操作されることにより前記アダプタ側操作部を前記押し操作することが可能に構成されたキャップ側操作部を有する、
通信アダプタ装着装置。
【請求項４】
請求項１〜請求項３の何れか１項に記載の通信アダプタ装着装置であって、
前記通信アダプタは、側面に突起部を備えており、
前記キャップは、閉じられた状態において前記アダプタ収容部の内部に延設するように設けられて前記突起部に係合可能な係合部を有し、前記キャップが閉じられた状態から開かれる開動作が行われると、前記係合部が、前記突起部に係合した状態で前記開動作に伴って前記開口部側へ移動するように構成されている、
通信アダプタ装着装置。
【請求項５】
請求項１〜請求項４の何れか１項に記載の通信アダプタ装着装置であって、
前記キャップには、長尺状のストラップが設けられ、
前記ストラップの先端側には、返し部が形成されており、
前記アダプタ収容部には、前記ストラップを挿入可能であって、且つ前記ストラップにおける前記返し部が挿入された状態においては前記ストラップの離脱が前記返し部によって規制されるように構成された、ストラップ挿入口が設けられており、
前記ストラップは、前記ストラップ挿入口に対し、少なくとも前記返し部が前記ストラップ挿入口に挿入された状態となるように挿入される、  
通信アダプタ装着装置。
【請求項６】
電動作業機であって、
当該電動作業機と外部装置との無線によるデータ通信を行うための通信アダプタが着脱可能に装着される通信アダプタ装着装置を備え、
前記通信アダプタは、前記通信アダプタの外部への情報出力及び前記通信アダプタに対する操作入力の少なくとも一方が可能に構成されたアダプタ側インタフェース部を備えており、
当該通信アダプタ装着装置は、
前記電動作業機の外表面に設けられた開口部を有し、前記開口部を介して前記通信アダプタを着脱可能に構成されたアダプタ収容部と、
前記開口部に対して開閉可能に設けられ、閉じることにより前記開口部が塞がれるように構成されたキャップと、
前記キャップに設けられ、前記通信アダプタが前記アダプタ収容部に装着されて且つ前記キャップが閉じられた状態のまま、前記電動作業機の外部から、前記アダプタ側インタフェース部の視認、及び前記アダプタ側インタフェース部に対する前記操作入力、の少なくとも一方が可能に構成されたキャップ側インタフェース部と、
を備える、電動作業機。
【発明の詳細な説明】
【技術分野】
【０００１】
本開示は、電動作業機に通信アダプタを着脱する技術に関する。
【背景技術】
【０００２】
被加工材の切削、切断、穴開け、或いはその他の作業を行うための各種の電動作業機として、外部装置と無線通信可能なアダプタを装着可能なものが知られている。
特許文献１には、電動工具本体とバッテリパックの間に無線通信用のアダプタを装着し、そのアダプタから外部装置へ、バッテリの残存容量や電動工具の動作状態などの各種情報を無線送信する技術が記載されている。また、特許文献１には、ディスプレイを備えたアダプタ、及びスイッチを備えたアダプタが記載されている。これらのアダプタは、電動工具本体とバッテリパックの間に装着された状態で、ディスプレイ及びスイッチが外部に露出するように構成されている。そのため、使用者は、アダプタが電動工具本体とバッテリパックの間に装着された状態で、ディスプレイの表示内容を視認したりスイッチを操作したりすることができる。
【先行技術文献】
【特許文献】
【０００３】
【特許文献１】特表２０１４−５２５８４０号公報
【発明の概要】
【発明が解決しようとする課題】
【０００４】
特許文献１に記載の技術のように、アダプタが電動工具本体とバッテリパックの間に挟まれてしかもアダプタが外部に露出した状態で装着される構成だと、電動工具本体におけるアダプタと接する面側から電動工具本体内へ塵や水などの異物が浸入し、その異物が原因で電動工具が誤動作したり動作しなくなったりする可能性がある。
【０００５】
また、アダプタのディスプレイ及びスイッチは、外部に露出した状態となるため、他の物にぶつかったり塵や水などの異物の影響を受けたりしやすく、破損したり故障したりする可能性が高い。
【０００６】
本開示は、電動作業機に対するアダプタの安定的な装着を可能としつつ、アダプタが装着された状態で、電動作業機の内部及びアダプタの構成物に対する塵や水などの異物の浸入を抑制又は防止でき且つ使用者がアダプタにアクセスできるようにすることを目的とする。
【課題を解決するための手段】
【０００７】
本開示の第１の局面は、電動作業機に設けられ、当該電動作業機と外部装置との無線によるデータ通信を行うための通信アダプタが着脱可能に装着される通信アダプタ装着装置である。通信アダプタは、当該通信アダプタの外部への情報出力及び当該通信アダプタに対する操作入力の少なくとも一方が可能に構成されたアダプタ側インタフェース部を備えている。
【０００８】
そして、通信アダプタ装着装置は、アダプタ収容部と、キャップと、キャップ側インタフェース部とを備えている。アダプタ収容部は、電動作業機の外表面に設けられた開口部を有し、その開口部を介して通信アダプタを着脱可能に構成されている。キャップは、開口部に対して開閉可能に設けられ、閉じることにより開口部が塞がれるように構成されている。キャップ側インタフェース部は、キャップに設けられ、通信アダプタがアダプタ収容部に装着されて且つキャップが閉じられた状態のまま、電動作業機の外部から、アダプタ側インタフェース部の視認、及びアダプタ側インタフェース部に対する操作入力、の少なくとも一方が可能に構成されている。
【０００９】
このような構成によれば、通信アダプタをアダプタ収容部に収容させた状態でアダプタ収容部の開口部をキャップで覆うことができる。しかも、キャップが閉じられた状態であっても、使用者は、キャップに設けられたキャップ側インタフェース部によって、通信アダプタのアダプタ側インタフェース部に間接的にアクセスすることができる。そのため、電動作業機に対する通信アダプタの安定的な装着を可能としつつ、アダプタが装着された状態で、電動作業機の内部及びアダプタの構成物に対する塵や水などの異物の浸入を抑制又は防止でき、且つ、キャップが閉じられた状態のままでも使用者が通信アダプタにアクセスすることが可能となる。
【００１０】
通信アダプタが、アダプタ側インタフェース部として、表示により情報出力を行う表示部を備えている場合、キャップ側インタフェース部は、視認窓部を有していてもよい。視認窓部は、アダプタ収容部に装着された状態の通信アダプタにおける表示部に対応した位置に設けられ、表示部による表示の内容を視認可能に構成されている。
【００１１】
このような構成によれば、電動作業機の使用者は、キャップが閉じられた状態であっても、視認窓部を介して、内部に装着されている通信アダプタの表示部を視認することができる。
【００１２】
また、通信アダプタが、アダプタ側インタフェース部として、押し操作を受け付け可能なアダプタ側操作部を備えている場合は、キャップ側インタフェース部は、キャップ側操作部を有していてもよい。キャップ側操作部は、アダプタ収容部に装着された状態の通信アダプタにおけるアダプタ側操作部に対応した位置に設けられ、外部から押し操作されることによりアダプタ側操作部を押し操作することが可能に構成されている。
【００１３】
このような構成によれば、電動作業機の使用者は、キャップが閉じられた状態であっても、キャップ側操作部を押し操作することによって、内部に装着されている通信アダプタのアダプタ側インタフェース部を間接的に押し操作することができる。
【００１４】
通信アダプタが、側面に突起部を備えている場合、キャップは、次のように構成されていてもよい。即ち、キャップは、係合部を有する。係合部は、キャップが閉じられた状態においてアダプタ収容部の内部に延設するように設けられ、突起部に係合可能に構成されている。そして、キャップが閉じられた状態から開かれる開動作が行われた場合に、キャップの係合部が、通信アダプタの突起部に係合した状態でキャップの開動作に伴って開口部側へ移動するように構成されていてもよい。
【００１５】
このような構成によれば、キャップを開ける動作に追随して通信アダプタを開口部側へ移動させて通信アダプタを取り出すことができる。つまり、キャップを開けた後に使用者自ら通信アダプタを掴んで引き出すといった作業が不要となり、キャップの開動作に伴って容易且つ効率的に通信アダプタを取り出すことができる。
【００１６】
なお、上記のような構成ではなく、例えば通信アダプタを指で掴んで引き出す構造の場合、開口部に指が入るスペースも確保しなければならないため、開口部を大きくする必要がある。開口部が大きいと、電動作業機の外表面において開口部を配置できる箇所が限られてくる。また、通信アダプタを指で掴んで引き出す構造ではなく、例えば、精密マイナスドライバーなどの先端が細い工具を使って通信アダプタを引き抜く構造であれば、開口部が大きくなることは抑制できる。しかし、通信アダプタを取り出す度に工具を用意し、またその工具を使って取り出す作業を行う必要があるため、手間が掛かる。
【００１７】
これに対し、上記のように、キャップに係合部を設け、キャップの開動作時にその係合部が通信アダプタ側面の突起部に係合するように構成することで、開口部が大きくなることを抑制でき、且つ少ない手間で容易に通信アダプタを取り出すことができる。また、指で直接掴んで取り出す構造に比べて開口部を小さく構成できるため、電動作業機の外表面に対する開口部の配置の自由度が高まる。
【００１８】
キャップには、長尺状のストラップが設けられ、ストラップの先端側には、返し部が形成されていてもよい。また、アダプタ収容部には、前記ストラップを挿入可能なストラップ挿入口が設けられていてもよい。ストラップ挿入口は、ストラップにおける返し部が挿入された状態においてはストラップの離脱が返し部によって規制されるように構成されている。そして、ストラップは、ストラップ挿入口に対し、少なくとも返し部がストラップ挿入口に挿入された状態となるように挿入されるようにしてもよい。
【００１９】
このような構成によれば、キャップのストラップをストラップ挿入口に挿入することで、ストラップを抜こうとしても返し部がストラップ挿入口に引っかかるため、容易には抜くことができない。そのため、電動作業機に対し、キャップを、容易に開閉可能な状態にしつつも電動作業機から離脱し難いようにすることができ、キャップの紛失を抑制することができる。
【００２０】
また、本開示の第２の局面の電動作業機は、当該電動作業機と外部装置との無線によるデータ通信を行うための通信アダプタが着脱可能に装着される通信アダプタ装着装置を備える。通信アダプタは、当該通信アダプタの外部への情報出力及び当該通信アダプタに対する操作入力の少なくとも一方が可能に構成されたアダプタ側インタフェース部を備えている。そして、通信アダプタ装着装置は、前述のアダプタ収容部、キャップ、及びキャップ側インタフェース部を備えている。
【００２１】
したがって、このような構成の電動作業機によれば、電動作業機に対する通信アダプタの安定的な装着を可能としつつ、通信アダプタが安定的に装着された状態であっても使用者が通信アダプタにアクセスすることが可能となる。
【図面の簡単な説明】
【００２２】
【図１】実施形態の電動作業機の斜視図である。
【図２】実施形態の電動作業機及び集塵機の電気的構成を示すブロック図である。
【図３】実施形態のアダプタ装着部、通信アダプタ及びキャップの構成を示す斜視図である。
【図４】実施形態のアダプタ装着部、通信アダプタ及びキャップを図３のＡ−Ａ断面方向から見た図である。
【図５】実施形態のアダプタ装着部、通信アダプタ及びキャップを図３のＢ−Ｂ断面方向から見た図である。
【図６】キャップが取り外されたアダプタ装着部を電動作業機の外部から見た斜視図である。
【図７】アダプタ装着部に通信アダプタを装着する前の状態の一例を示す斜視図である。
【図８】キャップの上面構造の詳細を示す説明図である。
【図９】アダプタ装着部に通信アダプタが装着された状態を示す説明図である。
【図１０】アダプタ装着部に通信アダプタが装着されて且つキャップが閉じた状態を示す説明図である。
【図１１】図１０の状態からキャップを開け始めた状態を示す説明図である。
【図１２】図１１の状態からさらにキャップを開けることにより通信アダプタが引き抜かれた状態を示す説明図である。
【図１３】通信アダプタの詳細構造を示す分解斜視図である。
【図１４】通信アダプタの組み立て手順の一部を説明するための説明図である。
【図１５】コネクタのＸＺ面斜視断面図である。
【図１６】コネクタの上面図である。
【図１７】通信アダプタが装着された状態のコネクタのＸＺ面断面図である。
【図１８】コネクタを底面から見た斜視図である。
【図１９】電動作業機の他の例を示す斜視図である。
【発明を実施するための形態】
【００２３】
以下、本開示の実施形態について、図面を参照しながら説明する。
［１．実施形態］
（１−１）電動作業機の全体構成
図１に示すように、本実施形態の電動作業機１は、被加工部材の切断を主目的として使用されるマルノコとして構成されており、ベース２と、本体部３とを備える。ベース２は、被加工部材の切断作業を行う際に切断対象の被加工部材の上面に当接される略矩形の部材である。本体部３は、ベース２の上面側に配置されている。なお、電動作業機１に対し、図１に示すように、Ｘ，Ｙ，Ｚの３軸、及び、前後・上下・左右の各方向を規定する。
【００２４】
本体部３は、円形のノコ刃４と、ノコ刃ケース５と、本体ハウジング６とを備えている。ノコ刃４は、本体部３における右側に配置されている。ノコ刃ケース５は、ノコ刃４の上側ほぼ半周の範囲の周縁を内部に収容して覆うように設けられている。
【００２５】
本体ハウジング６は、本体部３における左側に配置されている。本体ハウジング６は、略円筒状のモータ収容部６ａと、コントローラ収容部６ｂと、ハンドル部６ｃとを有する。
【００２６】
モータ収容部６ａには、ノコ刃４を回転させる駆動源としてのモータ１１２が収納されている。また、コントローラ収容部６ｂには、モータ１１２の駆動を制御するコントローラ１１１が収容されている。なお、モータ１１２及びコントローラ１１１は、いずれも図１では図示を省略しており、図２に図示されている。
【００２７】
本体部３におけるモータ収容部６ａとノコ刃４との間には、モータ１１２の回転を減速してノコ刃４に伝達するためのギヤ機構が収容されている。ハンドル部６ｃは、電動作業機１の使用者が電動作業機１を使用する際に把持する部位であり、アーチ状に形成されている。なお、本実施形態では、本体部３を構成するモータ収容部６ａ，コントローラ収容部６ｂ及びハンドル部６ｃは、例えば樹脂材料にて一体的に形成されている。
【００２８】
ハンドル部６ｃには、トリガ形式の操作スイッチ７が設けられている。電動作業機１の使用者は、ハンドル部６ｃを握った状態で操作スイッチ７をオンすることにより、ノコ刃４を回転駆動させることができる。
【００２９】
ハンドル部６ｃの内部には、アダプタ装着部８が設けられている。アダプタ装着部８は、通信アダプタ６０を着脱可能に構成されている。なお、通信アダプタ６０は、図１では図示を省略している。アダプタ装着部８は、通信アダプタ６０が収容されるアダプタ収容部１０を有する。アダプタ収容部１０は、ハンドル部６ｃの内部空間に位置している。
【００３０】
また、アダプタ装着部８は、アダプタ収容部１０に対して通信アダプタ６０を挿抜するために開口されたアダプタ差込口１２を有している。アダプタ差込口１２は、ハウジング外表面１１におけるハンドル部６ｃの左側側面に形成されており、このアダプタ差込口１２に対して通信アダプタ６０を左右方向に挿抜可能に構成されている。
【００３１】
また、アダプタ装着部８は、アダプタ差込口１２を覆うキャップ３０を備えている。キャップ３０はアダプタ差込口１２に対して左右方向に開閉可能に構成されている。キャップ３０は、アダプタ差込口１２からアダプタ収容部１０の中へ塵や水などが入るのを抑制するために設けられている。通信アダプタ６０の着脱はキャップ３０を開けた状態で行われる。通信アダプタ６０がアダプタ収容部１０内に完全に挿入された状態で、キャップ３０を完全に閉めることができる。キャップ３０を閉めてアダプタ差込口１２を覆うことで、アダプタ収容部１０内への塵や水などの浸入が抑制される。
【００３２】
図１は、キャップ３０を閉めた状態が図示されている。キャップ３０を閉めた状態において、キャップ３０の表面は、ハウジング外表面１１とほぼ同一面上に位置する。
（１−２）電動作業機および集塵機の電気的構成
次に、電動作業機１の電気的構成について、図２を用いて説明する。図２には、電動作業機１に加え、当該電動作業機１と連動させることが可能に構成された集塵機１４０も併せて図示している。電動作業機１と集塵機１４０との連動は、電動作業機１に装着された通信アダプタ６０と集塵機１４０に装着された通信アダプタ１５０との無線によるデータ通信に基づいて実現される。電動作業機１の作動時に集塵機１４０を連動運転させることによって、電動作業機１の使用により発生する粉塵や切削屑を集塵機１４０に吸引させることができる。
【００３３】
電動作業機１は、本体部３と、バッテリパック１３０と、通信アダプタ６０とを備える。バッテリパック１３０は、本体部３に対して着脱可能である。通信アダプタ６０も、前述の通り、本体部３に設けられたアダプタ装着部８に対して着脱可能である。
【００３４】
バッテリパック１３０は、繰り返し充電可能なバッテリ１３１を備える。本体部３内の各部は、バッテリ１３１から電力供給を受けて動作する。本実施形態のバッテリ１３１は、例えばリチウムイオン二次電池である。ただし、バッテリ１３１はリチウムイオン二次電池以外の他の二次電池であってもよい。バッテリパック１３０を電動作業機１から外して充電器に装着することで、内部のバッテリ１３１を充電できるようになっている。
【００３５】
なお、バッテリ１３１は本体部３に内蔵されていてもよい。その場合、バッテリ１３１の充電は、例えば本体部３に充電用のケーブルを接続して充電できる構成であってもよいし、本体部３からバッテリ１３１を取り出して充電できる構成であってもよい。また、電動作業機１の電源がバッテリ１３１であること自体、あくまでも一例であり、バッテリ１３１以外の他の電源からの電力供給を受けて動作可能な構成であってもよい。例えば、商用電源等の交流電源のコンセントから電源コードを介して交流電力を取り込み、その交流電力によって電動作業機１が動作する構成であってもよい。また例えば、バッテリ１３１の直流電力と外部電源からの交流電力の双方を取り込み可能であって、これら各電力の何れか一方又は双方からモータ１１２の駆動用の電力を生成してモータ１１２を駆動させることが可能な構成であってもよい。
【００３６】
電動作業機１の本体部３は、コントローラ１１１と、モータ１１２と、操作スイッチ７と、コネクタ１４とを備える。このうち操作スイッチ７は図１にも図示されている。コントローラ１１１は、操作スイッチ７がオンされると、モータ１１２を駆動させ、且つ、作動中情報及び通信アダプタ６０の動作用電力を、コネクタ１４を介して通信アダプタ６０へ出力する。これにより、通信アダプタ６０から集塵機１４０の通信アダプタ１５０へ連動指令が無線送信され、集塵機１４０が連動運転される。
【００３７】
コントローラ１１１は、ＣＰＵ１１１ａ、メモリ１１１ｂを含むマイクロコンピュータを備えている。メモリ１１１ｂは、ＲＡＭ、ＲＯＭ、フラッシュメモリ等の半導体メモリを含む。メモリ１１１ｂには、電動作業機１の各種機能を実現するための各種プログラムやデータが記憶されている。電動作業機１が有する各種機能は、ＣＰＵ１１１ａがメモリ１１１ｂに記憶されている各種プログラムを実行することにより実現される。
【００３８】
なお、コントローラ１１１により実現される各種機能は、前述のようなソフトウェア処理に限るものではなく、その一部又は全部の機能を、論理回路やアナログ回路等を組み合わせたハードウェアを用いて実現してもよい。
【００３９】
コネクタ１４は、本体部３と通信アダプタ６０とを電気的に接続するための接続回路である。通信アダプタ６０が本体部３のアダプタ装着部８に装着されると、本体部３のコネクタ１４と通信アダプタ６０の接続端子部１２２とが電気的に接続される。
【００４０】
通信アダプタ６０は、制御回路１２１と、接続端子部１２２と、アンテナ１２３と、電源回路１２４と、アダプタスイッチ７９と、ＬＥＤ８０とを備える。
接続端子部１２２は、通信アダプタ６０と本体部３とを電気的に接続するための部材であり、具体的には、第１接点８１〜第８接点８８の計８個の導体接点を有する。ただし、本実施形態では、実際に使用される接点は、第１接点８１、第４接点８４、第５接点８５、及び第８接点８８の４つである。本体部３のコネクタ１４には、これら４つの接点と接続される４つの端子９１〜９４が設けられている。なお、通信アダプタ６０の端子接続部１２２が有する８つの接点８１〜８８、及び本体部３のコネクタ１４が有する４つの端子９１〜９４は、図２では図示を省略しており、図３以降において適宜図示している。
【００４１】
通信アダプタ６０がアダプタ装着部８に装着されることにより通信アダプタ６０の接続端子部１２２が本体部３のコネクタ１４に接続されると、接続端子部１２２が備える上記４つの接点がそれぞれコネクタ１４における対応する端子と接続される。
【００４２】
本体部３のコントローラ１１１から作動中情報が出力されると、その作動中情報は、本体部３のコネクタ１４を介して通信アダプタ６０の接続端子部１２２に入力され、接続端子部１２２を介して制御回路１２１に入力される。また、本体部３のコントローラ１１１から通信アダプタ６０の動作用電源がコネクタ１４を介して出力されると、その動作用電力が、通信アダプタ６０において接続端子部１２２を介して電源回路１２４に入力される。
【００４３】
電源回路１２４は、本体部３から接続端子部１２２を介して動作用電力が入力されると、その動作用電力に基づいて、制御回路１２１を含む通信アダプタ６０内の各部を動作させるための内部電源電力を生成して各部へ供給する。この内部電源電力によって、通信アダプタ６０内の各部が動作する。
【００４４】
通信アダプタ６０の制御回路１２１は、ＣＰＵ１２１ａ、メモリ１２１ｂを含むマイクロコンピュータを備えている。メモリ１２１ｂは、ＲＡＭ、ＲＯＭ、フラッシュメモリ等の半導体メモリを含む。メモリ１２１ｂには、通信アダプタ６０の各種機能を実現するための各種プログラムやデータが記憶されている。通信アダプタ６０が有する各種機能は、ＣＰＵ１２１ａがメモリ１２１ｂに記憶されている各種プログラムを実行することにより実現される。ただし、制御回路１２１により実現される各種機能は、ソフトウェア処理に限るものではなく、その一部又は全部の機能を、論理回路やアナログ回路等を組み合わせたハードウェアを用いて実現してもよい。
【００４５】
制御回路１２１は、本体部３から接続端子部１２２を介して作動中情報が入力されると、少なくとも前述の連動指令を含む、その作動中情報に基づく情報を、アンテナ１２３から無線送信させる。作動中情報は、操作スイッチ７がオンされて電動作業機１のモータ１１２が作動中であることを示す情報である。連動指令は、集塵機１４０を連動運転させるための指令である。電動作業機１の通信アダプタ６０から無線送信された連動指令が集塵機１４０の通信アダプタ１５０で受信され、集塵機１４０内に伝送されると、集塵機１４０が連動運転される。
【００４６】
電動作業機１の操作スイッチ７がオフされてモータ１１２が停止すると、電動作業機１の通信アダプタ６０から連動停止指令が無線送信され、これにより集塵機１４０の連動運転も停止される。
【００４７】
集塵機１４０は、電動作業機１による作業によって排出された粉塵や切削屑を不図示の集塵ホースを介して吸引することが可能である。また、集塵機１４０は、通信アダプタ１５０を着脱可能である。
【００４８】
集塵機１４０は、コントローラ１４１と、モータ１４２と、電源回路１４３と、コネクタ１４４と、コンセント１４５とを備えている。モータ１４２は、吸引用のファンを駆動させるために設けられている。電源回路１４３は、商用電源からコンセント１４５を介して供給される交流電力を受電し、その交流電力に基づいて、集塵機１４０内の各部を動作させるための電源電力を生成する。
【００４９】
なお、集塵機１４０の電源が外部から供給される交流電力であることはあくまでも一例である。例えば、電動作業機１と同様にバッテリパックを着脱可能な構成、あるいはバッテリが内蔵された構成であって、バッテリからの直流電力によって動作可能な構成であってもよい。また例えば、バッテリの直流電力と外部電源からの交流電力の双方を取り込み可能であって、これら各電力の何れか一方又は双方からモータ１４２の駆動用の電力を生成してモータ１４２を駆動させることが可能な構成であってもよい。
【００５０】
また、電動作業機１のモータ１１２及び集塵機１４０のモータ１４２の具体的種類は特に限定されるものではなく、それぞれ、例えば機種や使用目的等に応じて適宜決めてもよい。例えば、ブラシ付き直流モータを用いてもよいし、ブラシレスモータを用いてもよいし、その他のモータを用いてもよい。
【００５１】
コントローラ１４１は、電動作業機１のコントローラ１１１と同様、ＣＰＵやメモリなどを有するマイクロコンピュータを備え、集塵機１４０における各種機能を実現する。コントローラ１４１は、集塵機１４０の使用者によって不図示の操作スイッチがオンされると、モータ１４２を駆動させ、粉塵や切削屑の吸引が可能な状態にする。コネクタ１４４は、集塵機１４０と通信アダプタ１５０とを電気的に接続するための接続回路であり、電動作業機１のコネクタ１４と同様の構成である。
【００５２】
集塵機１４０に着脱可能な通信アダプタ１５０は、電動作業機１に着脱可能な通信アダプタ６０と基本的に同じ構成であり、同じ機能を有する。即ち、集塵機１４０に着脱可能な通信アダプタ１５０は、電動作業機１に着脱可能な通信アダプタ６０と同様、制御回路１５１と、接続端子部１５２と、アンテナ１５３と、電源回路１５４と、アダプタスイッチ１５５と、ＬＥＤ１５６とを備える。
【００５３】
集塵機１４０の通信アダプタ１５０は、電動作業機１の通信アダプタ６０から連動指令を受信すると、その連動指令を接続端子部１５２を介して集塵機１４０へ出力する。集塵機１４０のコントローラ１４１は、通信アダプタ１５０からコネクタ１４４を介して連動指令が入力されるとモータ１４２を駆動させ、その後、通信アダプタ１５０からコネクタ１４４を介して連動停止指令が入力されるとモータ１４２を停止させる。これにより、電動作業機１と集塵機１４０との連動運転が実現される。
【００５４】
なお、通信アダプタ１５０から連動停止指令が入力された場合に、どのタイミングでモータ１４２を停止させるかについては適宜決めてもよい。例えば、連動停止指令が入力されたらすぐに停止させてもよい。
【００５５】
また例えば、連動停止指令の入力後、規定時間待機してから停止させてもよい。つまり、電動作業機１のモータ１１２が停止した後も集塵機１４０のモータ１４２は規定時間は継続して駆動させるようにしてもよい。なお、これと同じ効果は、次のような構成によっても実現できる。即ち、電動作業機１において、操作スイッチ７がオフされたとき、モータ１１２は停止させるものの連動停止指令はすぐには送信せず、モータ１１２の停止から規定時間経過後に連動停止指令を送信するように構成してもよい。
【００５６】
また、電動作業機１において、操作スイッチ７がオンされたとき、集塵機１４０へ連動指令を送信するものの電動作業機１のモータ１１２はすぐには駆動させず、連動指令の送信後、一定時間経過後にモータ１１２を駆動させるようにしてもよい。つまり、集塵機１４０のモータ１４２を先に駆動させ、その後に電動作業機１のモータ１１２を駆動させるようにしてもよい。
【００５７】
なお、本実施形態の集塵機１４０は、通信アダプタ１５０を着脱可能な構成であるが、通信アダプタ１５０又はそれ相当の回路モジュールが予め内蔵された構成であってもよい。
【００５８】
電動作業機１と集塵機１４０とを連動させるためには、予め、電動作業機１の通信アダプタ６０と集塵機１４０の通信アダプタ１５０とが互いに一対一で無線通信可能な状態にしておくこと、即ち、両通信アダプタ６０，１４０をペアリングさせることが必要である。
【００５９】
このペアリングを行うために、電動作業機１の通信アダプタ６０にはアダプタスイッチ７９が設けられ、集塵機１４０の通信アダプタ１５０にもアダプタスイッチ１５５が設けられている。ペアリングは、具体的には、次のように行う。まず、集塵機１４０の通信アダプタ１５０のアダプタスイッチ１５５を使用者がオンすることにより、当該通信アダプタ１５０をペアリングスタンバイ状態にする。その後、電動作業機１の通信アダプタ６０のアダプタスイッチ７９を使用者がオンすることで、両通信アダプタ間でペアリングのための所定のデータ通信が行われ、その結果、両通信アダプタのペアリングが完了する。
【００６０】
ペアリングが完了すると、以後、両通信アダプタ間で一対一のデータ通信が可能となり、電動作業機１の通信アダプタ６０から連動指令が無線送信されてそれが集塵機１４０の通信アダプタ１５０で受信されると、その連動指令に基づいて集塵機１４０が連動運転されるようになる。なお、各通信アダプタ６０，１５０の機能は、ペアリング及び連動指令の送受信に限定されるものではなく、他の各種情報の送受信も可能である。
【００６１】
電動作業機１の通信アダプタ６０は、動作状態に応じてＬＥＤ８０を消灯、点灯又は点滅させるよう構成されている。また、ＬＥＤ８０を点灯又は点滅させる際の発光色を複数種類の色の何れかに切り替え可能である。また、ＬＥＤ８０を点滅させる際の時間間隔や点滅パターンを複数種類の何れかに切り替え可能である。
【００６２】
本実施形態では、例えば、通信アダプタ６０が電動作業機１のアダプタ装着部８に装着されて通信アダプタ６０に電源電力が供給されることにより通信アダプタ６０が起動すると、ＬＥＤ８０が例えば特定の色で点灯する。また例えば、起動中、アダプタスイッチ７９がオンされてペアリングのための所定のデータ通信が開始されると、そのデータ通信が行われている間、即ちペアリング実行中、ＬＥＤ８０が点滅する。また例えば、ペアリングが完了すると、ＬＥＤ８０が、ペアリング実行中の点滅速度よりも速い速度で点滅する。使用者は、ＬＥＤ８０の発光状態を視認することで、通信アダプタ６０の動作状態を把握することができる。集塵機１４０の通信アダプタ１５０においても同様であり、動作状態に応じてＬＥＤ１５６が消灯、点灯又は点滅するよう構成されている。
【００６３】
（１−３）アダプタ装着部の構造
アダプタ装着部８の具体的構造について、図３を中心に、適宜図４〜図６を用いつつ説明する。なお、図３において、アダプタ収容部１０は、ＸＹ面で半分に分割された状態を示している。また、図４は、図３をＡ−Ａ断面方向から見た図であって、アダプタ収容部１０については断面図を示し、コネクタ１４、キャップ３０及び通信アダプタ６０については正面図を示している。また、図５は、図３をＢ−Ｂ断面方向から見た図であって、アダプタ収容部１０については断面図を示し、コネクタ１４、キャップ３０及び通信アダプタ６０については側面図を示している。
【００６４】
図３〜図５に示すように、アダプタ装着部８は、アダプタ収容部１０と、キャップ３０とを備える。アダプタ収容部１０には、コネクタ１４が設けられている。
アダプタ収容部１０は、図３〜図６に示すように、当該アダプタ収容部１０内に通信アダプタ６０を挿入させるためのアダプタ差込口１２を有する。アダプタ差込口１２は、本体ハウジング６のハウジング外表面１１における一部の略矩形状領域が開口されることにより形成されている。
【００６５】
アダプタ収容部１０は、コネクタ１４を配置し且つ通信アダプタ６０を配置するための本体側収容空間１３を有する。コネクタ１４は、図３〜図５に示すように、本体側収容空間１３において、アダプタ差込口１２よりも本体部３の内部側へ一定長入り込んだ領域に設けられている。
【００６６】
コネクタ１４は、コネクタハウジング４０を有する。コネクタ１４は、主に、本体ハウジング６内に形成された４つのリブ１５，１６，１８，１９によって支持されている。具体的に、コネクタハウジング４０は、Ｘ軸方向において、一方からは上部第１リブ１５及び上部第２リブ１６によって、他方からは下部第１リブ１８及び下部第２リブ１９によって、双方から挟み込まれるようにして固定されている。
【００６７】
上部第１リブ１５及び上部第２リブ１６により、コネクタ１４のアダプタ差込口１２側への移動が規制され、コネクタ１４がアダプタ差込口１２から外部へ抜け出てしまうことが抑制される。また、下部第１リブ１８及び下部第２リブ１９によって、コネクタ１４全体の横方向（Ｙ軸方向およびＺ軸方向）の振動が抑制される。
【００６８】
コネクタハウジング４０における上面側、即ち図３におけるアダプタ差込口１２側には、通信アダプタ６０を挿入させるためのアダプタ挿入開口部４１が形成されている。通信アダプタ６０は、コネクタハウジング４０に対し、アダプタ挿入開口部４１からアダプタ挿入空間４３内へ挿入される。
【００６９】
コネクタハウジング４０における底面側には、リード挿入開口部４２が形成されている。このリード挿入開口部４２に、４本のリード線１０１〜１０４が挿入されている。各リード線１０１〜１０４は、それぞれ、コネクタハウジング４０内に設けられた４つの端子９１〜９４に接続されている。各リード線１０１〜１０４は、本体部３内においては、図２に示したコントローラ１１１に接続されている。つまり、各リード線１０１〜１０４は、コントローラ１１１とコネクタ１４とを接続する配線である。
【００７０】
また、コネクタハウジング４０の１つの側面における上端側には、半円環状の爪部４５が設けられている。この爪部４５には、コネクタ１４に通信アダプタ６０が装着された場合に通信アダプタ６０に形成されたコネクタ係合突起６４が係合される。
【００７１】
また、上部第２リブ１６の一部には、ストラップ挿入口２０が形成されている。ストラップ挿入口２０は、キャップ３０に設けられたストラップ３４を挿入させるための、略矩形状に開口された穴である。キャップ３０のストラップ３４は、ストラップ挿入口２０からストラップ挿入空間２１へと挿入される。
【００７２】
キャップ３０は、キャップ本体３１と、表示ラベル３７と、ストラップ３４とを有する。表示ラベル３７は、キャップボタン３７ａ及びＬＥＤ窓３７ｂを有する。表示ラベル３７は、後述するようにキャップ本体３１の上面に例えば接着剤によって貼り付けられている。
【００７３】
キャップ本体３１の下面側において、Ｚ軸方向の２つの端辺側からそれぞれ、略円弧形状の第１係合部３２及び第２係合部３３が延設されている。これら２つの係合部３２，３３は、後で図１０〜図１２を用いて説明するように、キャップ３０を閉じた状態から開ける際に、通信アダプタ６０の第１突起６２及び第２突起６３に係合することにより、通信アダプタ６０をコネクタ１４から引き抜くように作用する。
【００７４】
また、キャップ本体３１の下面側において、Ｙ軸方向の一方の端辺側から、ストラップ３４が延設されている。ストラップ３４は、本体側収容空間１３に挿入され、さらに、ストラップ挿入口２０からストラップ挿入空間２１へと挿入される。ストラップ３４は、軟性の樹脂又はプラスチックで形成されている。
【００７５】
ストラップ３４の先端側には、返し部３５が形成されている。そのため、ストラップ３４がストラップ挿入口２０に挿入されると、ストラップ３４をストラップ挿入口２０から抜こうとしても、返し部３５がストラップ挿入口２０の周囲に引っかかって、抜くことが困難である。
【００７６】
本体ハウジング６に対するキャップ３０の取り付けは、キャップ３０のストラップ３４をストラップ挿入口２０に挿入することにより行われる。ストラップ３４に返し部３５が形成されていることにより、本体ハウジング６に取り付けられたキャップ３０が本体ハウジング６から脱落するのが抑制される。
【００７７】
また、キャップ本体３１の上面側において、Ｙ軸方向の他方の端辺側には、タブ３１ｃが形成されている。
また、キャップ本体３１の側面には、その全周に渡ってＯリング３６が設けられている。Ｏリング３６は、本体側収容空間１３と外部とを遮断するために設けられている。即ち、キャップ３０を完全に閉めると、図１０に示すように、Ｏリング３６が全周に渡って本体側収容空間１３の内壁に弾性密着する。
【００７８】
このＯリング３６の弾性密着により、本体側収容空間１３の密閉性が実現され、本体側収容空間１３内への塵や水などの浸入が抑制される。また、Ｏリング３６の弾性密着により、キャップ３０がアダプタ差込口１２に対して摩擦支持され、キャップ３０が容易には外れ難くなる。なお、Ｏリング３６による摩擦支持に加えて、キャップ３０を閉じた状態で固定するロック機構を設けるようにしてもよい。
【００７９】
通信アダプタ６０は、アダプタケース６１を有する。アダプタケース６１には、略長方形状のモジュール基板７０が収容されている。モジュール基板７０には、後述するように、コントローラ１１１を含む各種回路、配線等が形成されている。
【００８０】
モジュール基板７０の長辺方向（Ｘ軸方向）における一端には、短冊状の４つの挿入片７１，７２，７３，７４が形成されている。これら挿入片７１，７２，７３，７４は、モジュール基板７０の一端を切り欠き加工することにより形成されている。
【００８１】
各挿入片７１，７２，７３，７４の表裏にはそれぞれ、導体の接点が形成されている。具体的に、図４に示すように、第１挿入片７１には、その表裏両面のうち一方に第１接点８１が形成されて他方に不図示の第５接点８５が形成されている。第２挿入片７２には、その表裏両面のうち一方に第２接点８２が形成されて他方に不図示の第６接点８６が形成されている。第３挿入片７３には、その表裏両面のうち一方に第３接点８３が形成されて他方に不図示の第７接点８７が形成されている。第４挿入片７４には、その表裏両面のうち一方に第４接点８４が形成されて他方に不図示の第８接点８８が形成されている。各挿入片７１〜７４に形成された計８個の接点８１〜８８は、図２に示した接続端子部１２２を構成する。
【００８２】
モジュール基板７０は、全体として、通信アダプタ６０のアダプタケース６１内に収容されるが、各挿入片７１〜７４は、アダプタケース６１から突出した状態となる。そして、これら挿入片７１〜７４がコネクタ１４に挿入されることで、図２に示した接続端子部１２２とコネクタ１４との接続が行われ、通信アダプタ６０と本体部３とが電気的に接続される。
【００８３】
また、通信アダプタ６０のアダプタケース６１において、Ｚ軸方向に垂直な両側面には、それぞれ、第１突起６２及び第２突起６３が形成されている。また、第１突起６２が形成されている面には、さらに、コネクタ係合突起６４が形成されている。第１突起６２及び第２突起６３は、キャップ３０が開けられる際にキャップ３０の各係合部３２，３３を係合させるために設けられている。コネクタ係合突起６４は、通信アダプタ６０をコネクタ１４に装着したときにコネクタ１４の爪部４５に係合させるために設けられている。
【００８４】
また、通信アダプタ６０の長辺方向における他端側の面には、スイッチラベル７７が接着剤により貼り付けられている。スイッチラベル７７は、スイッチボタン７７ａとＬＥＤ窓７７ｂとを有する。
【００８５】
次に、通信アダプタ６０をアダプタ装着部８に装着する手順について概略説明する。図７に示すように、通信アダプタ６０をアダプタ装着部８に装着する前に、キャップ３０をアダプタ収容部１０に取り付けておく。具体的には、前述の通り、キャップ３０のストラップをストラップ挿入口２０に挿入させておく。
【００８６】
そして、図７に示すようにキャップ３０を開けた状態で、通信アダプタ６０を、各挿入片７１〜７４が形成された一端側から本体側収容空間１３内へ差し込み、内部のコネクタ１４に装着する。通信アダプタ６０を挿入してコネクタ１４に装着した後は、キャップ３０を閉めることで、装着が完了する。
【００８７】
通信アダプタ６０が装着されてキャップ３０が閉じた状態においては、キャップ３０のキャップボタン３７ａを押し操作することで、通信アダプタ６０のアダプタスイッチ７９をオンすることができる。また、通信アダプタ６０のＬＥＤ８０を、キャップ３０のＬＥＤ窓３７ｂを通して視認することができる。
【００８８】
このようにキャップ３０の外側から通信アダプタ６０のアダプタスイッチ７９を操作したり通信アダプタ６０のＬＥＤ８０を視認したりすることができることについて、より具体的に説明する。
【００８９】
図８に示すように、キャップ３０を構成するキャップ本体３１は、ボタン操作片３１ａと、ＬＥＤ窓３１ｂとを有する。なお、キャップ本体３１は、全体として、例えばポリプロピレンによって一体形成されている。
【００９０】
ＬＥＤ窓３１ｂは、Ｘ軸方向に貫通するように形成された穴である。ボタン操作片３１ａは、支持軸３１ｄの一端に接続されて支持されている。キャップ本体３１における、ボタン操作片３１ａ及び支持軸３１ｄの周囲は、ほぼ全周に渡ってＸ軸方向にくり抜かれて貫通しており、支持軸３１ｄにおけるボタン操作片３１ａが接続された一端とは反対側の他端が、キャップ本体３１に接続されている。
【００９１】
ボタン操作片３１ａは、支持軸３１ｄの他端を中心に、Ｘ軸方向に揺動可能である。即ち、ボタン操作片３１ａにＸ軸方向の荷重が加わると、ボタン操作片３１ａがその荷重方向へ動く。
【００９２】
キャップ本体３１の上面に貼り付けられる表示ラベル３７は、全体として、例えばポリカーボネイトにて形成されている。表示ラベル３７において、キャップボタン３７ａは、例えばエンボス加工により形成されている。即ち、キャップボタン３７ａは、Ｘ軸方向上面側へ球面状に盛り上がった形状となっている。
【００９３】
そして、キャップボタン３７ａは、Ｘ軸方向への荷重を受けるとその荷重方向へ弾性移動し、その後荷重をなくすと位置に戻る。つまり、キャップボタン３７ａはＸ軸方向の荷重によって弾性変形するよう形成されている。
【００９４】
ＬＥＤ窓３７ｂは、通信アダプタ６０のＬＥＤ８０を視認するために、透明素材により形成されている。つまり、キャップ本体３１に形成されたＬＥＤ窓３１ｂのように貫通はしていない。
【００９５】
キャップ本体３１の上面に表示ラベル３７が貼り付けられた状態では、キャップ本体３１のボタン操作片３１ａと表示ラベル３７のキャップボタン３７ａとがＸ軸方向においてちょうど重なった状態となる。また、キャップ本体３１のＬＥＤ窓３１ｂと表示ラベル３７のＬＥＤ窓３７ｂも、Ｘ軸方向においてちょうど重なった状態となる。
【００９６】
そのため、キャップ３０の外部から表示ラベル３７のＬＥＤ窓３１ｂを覗くと、表示ラベル３７のＬＥＤ窓３１ｂ及びその裏側のキャップ本体３１のＬＥＤ窓３１ｂを通じてキャップ本体３１の裏側を視認できる。また、キャップ３０のキャップボタン３７ａを押し操作すると、キャップボタン３７ａを介してキャップ本体３１のボタン操作片３１ａが押圧され、これによりボタン操作片３１ａが操作方向へ移動する。
【００９７】
さらに、通信アダプタ６０が装着されてキャップ３０を閉じた状態、即ち図１０に示すような状態になると、キャップ本体３１のボタン操作片３１ａと表示ラベル３７のキャップボタン３７ａと通信アダプタ６０のスイッチボタン７７ａとがＸ方向においてちょうど重なった状態となる。また、キャップ本体３１のＬＥＤ窓３１ｂと表示ラベル３７のＬＥＤ窓３７ｂと通信アダプタ６０のＬＥＤ窓７７ｂとが、Ｘ軸方向においてちょうど重なった状態となる。
【００９８】
そのため、キャップ３０の外部から表示ラベル３７のＬＥＤ窓３１ｂを覗くと、表示ラベル３７のＬＥＤ窓３１ｂ、その裏側のキャップ本体３１のＬＥＤ窓３１ｂ、及びその裏側の通信アダプタ６０のＬＥＤ窓７７ｂを通じて、通信アダプタ６０におけるＬＥＤ窓７７ｂの裏側に配置されたＬＥＤ８０を視認できる。
【００９９】
また、キャップ３０のキャップボタン３７ａが押し操作されると、キャップ本体３１のボタン操作片３１ａがキャップボタン３７ａからの荷重を受けて操作方向へ移動する。キャップ本体３１のボタン操作片３１ａが操作方向へ移動すると、ボタン操作片３１ａが通信アダプタ６０のスイッチボタン７７ａに当接し、スイッチボタン７７ａを押圧する。通信アダプタ６０のスイッチボタン７７ａが押圧されると、後述するように、スイッチボタン７７ａが通信アダプタ６０のアダプタスイッチ７９に当接してアダプタスイッチ７９がオンされる。
【０１００】
つまり、キャップ３０を開けることなく閉じた状態のままで、キャップ３０のキャップボタン３７ａを押し操作することで、通信アダプタ６０のアダプタスイッチ７９をオンさせることができる。また、キャップ３０を開けることなく閉じた状態のままで、キャップ３０の外側から通信アダプタ６０のＬＥＤ８０を視認することができる。
【０１０１】
なお、キャップ３０の表示ラベル３７は、塵や水等の異物がキャップ３０を介してアダプタ収容部１０の内部へ浸入するのを抑制する機能を兼ね備えている。即ち、表示ラベル３７がない場合、キャップ本体３１においてボタン操作片３１ａの周囲に形成された穴から異物が浸入する可能性がある。これに対し、キャップ本体３１の上面に表示ラベル３７を貼り付けることで、ボタン操作片３１ａの周囲の穴が塞がれ、これにより異物の浸入が抑制される。
【０１０２】
図９は、通信アダプタ６０がアダプタ装着部８に装着された状態、即ちコネクタ１４に装着された状態を示している。通信アダプタ６０がコネクタ１４に装着されると、通信アダプタ６０に形成されたコネクタ係合突起６４がコネクタ１４の爪部４５に係合する。これにより、通信アダプタ６０がコネクタ１４にロックされ、振動等によって通信アダプタ６０がコネクタ１４から抜けるのが抑制される。
【０１０３】
また、図９は、キャップ３０がアダプタ収容部１０に取り付けられた状態、即ちキャップ３０のストラップ３４がストラップ挿入口２０からストラップ挿入空間２１へ挿入された状態を示している。既に説明したが、図９からも明らかなように、ストラップ３４の先端側に返し部３５が形成されているため、ストラップ３４をストラップ挿入口２０から引き抜こうとしても、返し部３５がストラップ挿入口２０の周囲に引っかかって、完全に引き抜くことは困難である。
【０１０４】
次に、通信アダプタ６０が装着されてキャップ３０が完全に閉じられた状態から、キャップ３０を開けて通信アダプタ６０を取り出す際の手順について、図１０〜図１２を用いて説明する。
【０１０５】
図１０は、通信アダプタ６０が装着されてキャップ３０が完全に閉じられた状態である。この状態からキャップ３０のタブ３１ｃを上方へ引き上げることで、キャップ３０を開けることができる。キャップ３０のタブ３１ｃを上方へ引き上げると、図１１に示すように、キャップ３０が、タブ３１ｃとは反対側の端部を支点として、略回動する。
【０１０６】
すると、図１１に示すように、キャップ３０に設けられた第１係合部３２が、通信アダプタ６０の第１突起６２に係合する。また、図１１には図示されていないが、通信アダプタ６０における第１突起６２が形成された面とは反対側の側面においても、キャップ３０に設けられた第２係合部３３が通信アダプタ６０の第２突起６３に係合する。
【０１０７】
このようにキャップ３０の各係合部３２，３３が通信アダプタ６０の各突起６２，６３に係合した状態から、キャップ３０のタブ３１ｃをさらに引き上げると、図１２に示すように、通信アダプタ６０も一緒に引き上げられる。なお、通信アダプタ６０がコネクタ１４に装着された状態で、キャップ３０の各係合部３２，３３から通信アダプタ６０の各突起６２、６３を介して加わる荷重が一定レベル以上になると、コネクタ１４の爪部４５が弾性変形し、コネクタ係合突起６４が爪部４５から外れる。そのため、キャップ３０のタブ３１ｃを上方へ引き上げていくことで、通信アダプタ６０をコネクタ１４から取り外すことができる。
【０１０８】
（１−４）通信アダプタの詳細構造
次に、通信アダプタ６０の詳細構造について、図１３，図１４を用いて説明する。図１３に示すように、通信アダプタ６０は、アダプタケース６１と、モジュール基板７０とを備える。アダプタケース６１は、例えば樹脂製であり、Ｘ方向の一端側には開口した基板挿入口６５が形成され、他端側には入出力端面６６が形成されている。
【０１０９】
モジュール基板７０には、図２に示した各回路、素子等が形成、実装されている。即ち、モジュール基板７０の長辺方向（Ｘ軸方向）における一端には、短冊状の４つの挿入片７１，７２，７３，７４が形成されている。また、各挿入片７１，７２，７３，７４の表裏両面には、図１３及び図１４に示すように、各接点８１〜８８が形成されている。
【０１１０】
モジュール基板７０の長辺方向（Ｘ軸方向）における他端には、アダプタスイッチ７９及びＬＥＤ８０が実装されている。
モジュール基板７０は、アダプタケース６１に対し、基板挿入口６５から挿入され、アダプタケース６１の基板挿入空間６７内に配置される。アダプタケース６１の内壁には、４つの基板差込用リブ６８が形成されている。モジュール基板７０は、基板挿入空間６７内において、これら４つの基板差込用リブ６８によって案内されながら挿入される。また、モジュール基板７０は、基板挿入空間６７内において、これら４つの基板差込用リブ６８によって支持される。
【０１１１】
アダプタケース６１の入出力端面６６には、スイッチ操作片６６ａ及びＬＥＤ窓６６ｂが形成されている。これらスイッチ操作片６６ａ及びＬＥＤ窓６６ｂは、基本的には、キャップ本体３１に形成されているボタン操作片３１ａ及びＬＥＤ窓３１ｂと同等の構成であり、同等の機能を有する。
【０１１２】
即ち、ＬＥＤ窓６６ｂは、Ｘ軸方向に貫通するように形成された穴である。スイッチ操作片６６ａは、支持軸６６ｃの一端に設けられ、支持軸６６ｃの他端を中心にＸ軸方向に揺動可能である。即ち、スイッチ操作片６６ａにＸ軸方向の荷重が加わると、スイッチ操作片６６ａがその荷重方向へ動く。
【０１１３】
また、通信アダプタ６０は、ケースカバー７６と、スイッチラベル７７とを備える。ケースカバー７６は例えばゴム製の板状部材であり、長方形状の穴である基板挿通孔７６ａが形成されている。
【０１１４】
スイッチラベル７７は、基本的に、キャップ３０の表示ラベル３７と同様の構成である。即ち、スイッチラベル７７は、例えばポリカーボネイト製であり、スイッチボタン７７ａとＬＥＤ窓７７ｂとを有する。
【０１１５】
スイッチボタン７７ａは、Ｘ軸方向への荷重を受けるとその荷重方向へ弾性移動し、その後荷重をなくすと位置に戻る。つまり、スイッチボタン７７ａはＸ軸方向の荷重によって弾性変形するよう形成されている。ＬＥＤ窓７７ｂは、通信アダプタ６０のＬＥＤ８０を視認するために、透明素材により形成されている。つまり、キャップ本体３１に形成されたＬＥＤ窓３１ｂやアダプタケース６１の入出力端面６６に形成されたＬＥＤ窓６６ｂのように貫通はしていない。
【０１１６】
通信アダプタ６０の組み立て工程において、ケースカバー７６は、図１４に示すように、アダプタケース６１にモジュール基板７０が挿入された後に取り付けられる。即ち、ケースカバー７６は、モジュール基板７０が挿入されたアダプタケース６１に対し、モジュール基板７０における各挿入片７１〜７４が形成された一端側から取り付けられる。
【０１１７】
具体的に、ケースカバー７６の基板挿通孔７６ａに、モジュール基板７０の各挿入片７１〜７４を挿通させる。そして、ケースカバー７６を、アダプタケース６１の基板挿入口６５を塞ぐように配置する。その後、ケースカバー７６の上から、例えばエポキシ樹脂等のシール材を基板挿入口６５の全面に渡って塗布することで、基板挿入口６５をシール処理する。これにより、基板挿入口６５からアダプタケース６１内への塵や水などの異物の浸入が抑制される。
【０１１８】
また、スイッチラベル７７は、図１４に示すように、アダプタケース６１における入出力端面６６に対して接着剤で貼り付けられる。入出力端面６６にスイッチラベル７７が貼り付けられた状態では、入出力端面６６のスイッチ操作片６６ａとスイッチラベル７７のスイッチボタン７７ａとがちょうど重なった状態となる。また、入出力端面６６のＬＥＤ窓６６ｂとスイッチラベル７７のＬＥＤ窓７７ｂも、ちょうど重なった状態となる。
【０１１９】
そのため、スイッチラベル７７の外部からスイッチラベル７７のＬＥＤ窓７７ｂを覗くと、スイッチラベル７７のＬＥＤ窓７７ｂ及びその裏側の入出力端面６６のＬＥＤ窓６６ｂを通じて、モジュール基板７０に実装されたＬＥＤ８０を視認できる。また、スイッチラベル７７のスイッチボタン７７ａを押し操作すると、スイッチボタン７７ａを介して入出力端面６６のスイッチ操作片６６ａが押圧され、これによりスイッチ操作片６６ａが操作方向へ移動する。これにより、モジュール基板７０に実装されたアダプタスイッチ７９にスイッチ操作片６６ａが当接してアダプタスイッチ７９がオンされる。
【０１２０】
そのため、通信アダプタ６０をコネクタ１４に挿入した後、キャップ３０を閉じる前に、スイッチラベル７７を介して通信アダプタ６０にアクセスすることができる。それに加えて、キャップ３０を閉じた後も、前述の通り、キャップ３０の表示ラベル３７に設けられたキャップボタン３７ａ及びＬＥＤ窓３７ｂを介して、通信アダプタ６０にアクセスすることができる。
【０１２１】
（１−５）コネクタの詳細構造
次に、コネクタ１４の詳細構造について、図１５〜図１８を用いて説明する。コネクタ１４を構成するコネクタハウジング４０には、前述の通り、アダプタ挿入開口部４１及びアダプタ挿入空間４３が形成されている。
【０１２２】
コネクタハウジング４０において、アダプタ挿入空間４３の底面側には、図１５及び図１６に示すように、基板挿入スロット４６が形成されている。基板挿入スロット４６は、詳しくは、４つのスロット４６ａ，４６ｂ，４６ｃ，４６ｄを有する。各スロット４６ａ，４６ｂ，４６ｃ，４６ｄは、開口部の形状が略長方形状の穴であり、Ｙ軸方向に一列に配列された状態となっている。各スロット４６ａ，４６ｂ，４６ｃ，４６ｄには、通信アダプタ６０の各挿入片７１〜７４が挿入される。
【０１２３】
即ち、第１スロット４６ａには、通信アダプタ６０の第１挿入片７１が挿入される。また、第２スロット４６ｂには、通信アダプタ６０の第２挿入片７２が挿入される。また、第３スロット４６ｃには、通信アダプタ６０の第３挿入片７３が挿入される。また、第４スロット４６ｄには、通信アダプタ６０の第４挿入片７４が挿入される。
【０１２４】
４つのスロットのうち第１スロット４６ａ及び第４スロット４６ｄに対しては、それぞれ２つずつ端子が設けられている。具体的に、第４スロット４６ｄに対しては、図１５〜図１８に示すように、第２端子９２及び第４端子９４が設けられている。第２端子９２及び第４端子９４は、同じ形状であって、接点が互いに対向するように配置されている。また、図１５、図１７、図１８に示すように、第２端子９２には、リード挿入開口部４２から挿入されたリード線１０３が接続され、第４端子９４には、リード挿入開口部４２から挿入されたリード線１０４が接続されている。
【０１２５】
第４スロット４６ｄに通信アダプタ６０の第４挿入片７４が挿入されると、第４挿入片７４は、第２端子９２と第４端子９４の間に挿入され、これら２つの端子９２，９４によって表裏両面から挟まれた状態となる。またこのとき、第４挿入片７４に形成された第４接点８４には第２端子９２が接触して電気的に導通し、第４挿入片７４に形成された第８接点８８には第４端子９４が接触して電気的に導通する。
【０１２６】
第１スロット４６ａに対しては、図１６及び図１８に示すように、第１端子９１及び第３端子９３が設けられている。第１端子９１及び第３端子９３は、いずれも第２端子９２及び第４端子９４と同じ形状である。また、第１スロット４６ａに対する第１端子９１及び第３端子９３の位置関係は、第４スロット４６ｄに対する第２端子９２及び第４端子９４の位置関係と同じである。即ち、第１端子９１及び第３端子９３も、接点が互いに対向するように配置されている。また、図１８に示すように、第１端子９１には、リード挿入開口部４２から挿入されたリード線１０１が接続され、第３端子９３には、リード挿入開口部４２から挿入されたリード線１０２が接続されている。
【０１２７】
第１スロット４６ａに通信アダプタ６０の第１挿入片７１が挿入されると、第１挿入片７１は、第１端子９１と第３端子９３の間に挿入され、これら２つの端子９１，９３によって表裏両面から挟まれた状態となる。またこのとき、第１挿入片７１に形成された第１接点８１には第１端子９１が接触して電気的に導通し、第１挿入片７１に形成された第５接点８５には第３端子９３が接触して電気的に導通する。
【０１２８】
なお、第２スロット４６ｂ及び第３スロット４６ｃに対しても、他の各スロット４６ａ，４６ｄと同様に端子を配置可能であるが、本実施形態では省略されている。
隣接するスロット間は、図１５〜図１８に示すように、仕切り壁４７によって物理的に仕切られている。これにより、隣接するスロットの双方に端子が配置されている場合にそれら端子同士が短絡するのが抑制される。即ち、隣接するスロットの各々に配置された各端子について、直接接触による短絡が抑制されるのはもちろん、端子間に塵や水などの異物が浸入してそれら異物を介して短絡してしまうことも抑制される。
【０１２９】
通信アダプタ６０をコネクタ１４に装着すると、図１７に示すように、通信アダプタ６０における下部がコネクタ１４のアダプタ挿入空間４３内に入り込み、且つ、その入り込んだ部分の側面の大部分がコネクタ１４の挿入内壁４４に密着する。
【０１３０】
つまり、通信アダプタ６０が、コネクタハウジング４０の挿入内壁４４によって深く咥え込まれた状態となり、通信アダプタ６０がコネクタハウジング４０に対して安定的に保持される。またこのように通信アダプタ６０がコネクタハウジング４０に安定的に保持されることにより、通信アダプタ６０の接点とコネクタ１４の端子との電気的接続状態が安定し、振動等に起因するチャタリングが抑制される。
【０１３１】
なお、通信アダプタ６０のアダプタケース６１における、コネクタ１４のアダプタ挿入空間４３に入り込む部分の全周に渡って、若しくはコネクタハウジング４０におけるアダプタ挿入空間４３を形成する挿入内壁４４の全周に渡って、シール目的の弾性部材を設けるようにしてもよい。
【０１３２】
このようにすることで、通信アダプタ６０がコネクタ１４に装着されたとき、通信アダプタ６０の下部外周がコネクタハウジング４０の挿入内壁４４に対してより安定的に保持され、且つ、アダプタ挿入開口部４１からコネクタ１４の内部へ塵や水などの異物が入り込むのを効果的に抑制できる。
【０１３３】
コネクタハウジング４０の底面に形成されたリード挿入開口部４２は、図１８に示すように、底面封止板５０によって塞がれる。底面封止板５０は、全体として薄板状の部材であるが、４つのリード線１０１〜１０４を挿通させるための４つのリード挿通用切欠５１が形成されている。
【０１３４】
底面封止板５０は、図１８に示すように、コネクタハウジング４０に対してその底面のリード挿入開口部４２全体を覆うように配置される。また、コネクタハウジング４０のリード挿入開口部４２が底面封止板５０によって覆われた状態では、底面封止板５０に形成された４つのリード挿通用切欠５１の各々に、各リード線１０１〜１０４が挿通された状態となる。さらに、底面封止板５０の各リード挿通用切欠５１は、いずれも、リード線が挿通された状態で、シール材によってシールされる。これにより、コネクタ１４に対し、その底面側のリード挿入開口部４２から塵や水等の異物が浸入するのが抑制される。
【０１３５】
（１−６）実施形態の効果
以上説明した実施形態によれば、以下の効果を奏する。
即ち、本実施形態の電動作業機１は、キャップ３０が閉じられた状態であっても、使用者は、キャップ３０に設けられた表示ラベル３７を介して、通信アダプタ６０に間接的にアクセスすることができる。そのため、電動作業機１に対する通信アダプタ６０の安定的な装着を可能としつつ、電動作業機１の内部及び通信アダプタ６０の構成物に対する、塵や水などの異物の浸入を抑制又は防止できる。しかも、通信アダプタ６０が安定的に装着された状態、即ちキャップ３０が完全に閉じられた状態であっても、使用者は通信アダプタ６０にアクセスすることができる。
【０１３６】
具体的に、キャップ３０の表示ラベル３７には、キャップボタン３７ａが設けられている。使用者がこのキャップボタン３７ａを押し操作すると、通信アダプタ６０のアダプタスイッチ７９がオンされる。そのため、電動作業機１の使用者は、キャップ３０が閉じられた状態のまま、キャップボタン３７ａを介して、通信アダプタのアダプタスイッチ７９を間接的にオンさせることができる。
【０１３７】
また、キャップ３０の表示ラベル３７には、ＬＥＤ窓３７ｂが設けられている。そのため、電動作業機１の使用者は、キャップ３０が閉じられた状態であっても、ＬＥＤ窓３７ｂを介して、通信アダプタ６０のＬＥＤ８０を視認することができる。
【０１３８】
また、通信アダプタ６０の両側面には、第１突起６２及び第２突起６３が形成されている。そして、これら各突起６２，６３に対応して、キャップ３０には、第１係合部３２及び第２係合部３３が設けられている。そして、キャップ３０を閉じた状態から開くと、図１０〜図１２を用いて説明したように、キャップ３０の各係合部３２，３３が通信アダプタ６０の各突起６２，６３に係合し、キャップ３０の開動作に伴って通信アダプタ６０もコネクタ１４から離脱される。
【０１３９】
そのため、通信アダプタ６０を抜き取る際、キャップ３０を開けた後に使用者自ら通信アダプタ６０を掴んで引き出すといった作業が不要となり、キャップ３０の開動作に伴って容易且つ効率的に通信アダプタ６０を取り出すことができる。
【０１４０】
また、キャップ３０には、長尺状のストラップ３４が設けられ、そのストラップ３４の先端側には返し部３５が形成されている。そのため、ストラップ挿入口２０からストラップ３４を抜こうとしても、返し部３５がストラップ挿入口２０に引っかかるため、容易には抜くことができない。そのため、電動作業機１に対し、キャップ３０を、容易に開閉可能な状態にしつつも電動作業機１から離脱し難いようにすることができ、キャップ３０の紛失を抑制することができる。
【０１４１】
［２．他の実施形態］
以上、本開示の実施形態について説明したが、本開示は上述の実施形態に限定されることなく、種々変形して実施することができる。
【０１４２】
（２−１）上記実施形態では、図１に示したように、アダプタ装着部８がハンドル部６ｃの左側面側に設けられ、ハンドル部６ｃの左側面から通信アダプタ６０を挿抜可能な構成であったが、電動作業機１におけるアダプタ装着部８の位置は図１の位置に限定されるものではない。電動作業機１におけるアダプタ装着部８を設ける位置は適宜決めてもよい。
【０１４３】
例えば、図１９に示す電動作業機２００のように、ハンドル部２０２ｃの上面側にアダプタ装着部２０８が設けられていてもよい。図１９に示す電動作業機２００は、本体部２０１を構成する本体ハウジング２０２が、モータ収容部６ａと、コントローラ収容部６ｂと、ハンドル部２０２ｃとを有する。
【０１４４】
本体ハウジング２０２は、左右に分割された２つの半割ハウジング２０３，２０４を有する。即ち、右側半割ハウジング２０３と左側半割ハウジング２０４とを図１９のように互いに向かい合わせて突き合わせることで、本体ハウジング２０２が形成される。
【０１４５】
各半割ハウジング２０３，２０４の上部には、それぞれ、アダプタ装着部２０８を構成するアダプタ収容部２１０が、左右に分割して形成されている。各半割ハウジング２０３，２０４を突き合わせると、双方に形成されたアダプタ収容部２１０の分割部位が合わさって、１つのアダプタ収容部２１０が形成される。
【０１４６】
（２−２）通信アダプタ６０が有する接点の数が８個であることや、コネクタ１４が有する端子の数が４個であることは、あくまでも一例であり、これらの数は適宜決めてもよい。
【０１４７】
また、上記実施形態では、通信アダプタ６０が有する８個の接点のうち実際にコネクタ１４の端子に接続されて使用される接点は、第１接点８１、第４接点８４、第５接点８５及び第８接点８８の４つであったが、これはあくまでも一例である。通信アダプタ６０が有する接点のうち、どの、いくつの接点を使用して本体部と電気的に接続させるかについては適宜決めてよい。例えば、第５接点８５に代えて第２接点８２を用いるようにしてもよい。
【０１４８】
（２−３）上記実施形態では、電動作業機１の通信アダプタ６０の通信相手が集塵機１４０の通信アダプタ１５０であったが、通信アダプタ６０の通信相手は集塵機１４０の通信アダプタ１５０に限定されない。例えば、スマートフォンやノートパソコンなどの各種携帯型通信機器と相互にデータ通信可能であってもよい。
【０１４９】
また、通信アダプタ６０は、電動作業機１に限らず、各種の機器に接続して当該機器と他の機器とのデータ通信を実現可能であってもよい。例えば、バッテリ１３１を充電可能な充電器に通信アダプタ６０を装着し、バッテリ１３１の状態や充電状況などの各種情報を通信アダプタ６０から外部へ無線送信できるようにしてもよい。
【０１５０】
（２−４）その他、通信アダプタ６０は、マルノコに限らず、園芸用、石工用、金工用、木工用の電動工具などの、各種の電動作業機に適用することができる。より具体的には、電動ハンマ、電動ハンマドリル、電動ドリル、電動ドライバ、電動レンチ、電動グラインダ、電動レシプロソー、電動ジグソー、電動ハンマ、電動カッター、電動チェンソー、電動カンナ、電動釘打ち機（鋲打ち機を含む）、電動ヘッジトリマ、電動芝刈り機、電動芝生バリカン、電動刈払機、電動クリーナ、電動ブロア、電動噴霧器、電動散布機、電動集塵機、といった各種電動作業機に適用することができる。
【０１５１】
（２−５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【０１５２】
１，２００…電動作業機、３，２０１…本体部、６，２０２…本体ハウジング、７…操作スイッチ、８，２０８…アダプタ装着部、１０，２１０…アダプタ収容部、１１…ハウジング外表面、１２…アダプタ差込口、１３…本体側収容空間、１４…コネクタ、２０…ストラップ挿入口、３０…キャップ、３１…キャップ本体、３１ａ…ボタン操作片、３１ｂ…ＬＥＤ窓、３１ｃ…タブ、３１ｄ…支持軸、３２…第１係合部、３３…第２係合部、３４…ストラップ、３５…返し部、３６…Ｏリング、３７…表示ラベル、３７ａ…キャップボタン、３７ｂ…ＬＥＤ窓、４０…コネクタハウジング、４５…爪部、６０…通信アダプタ、６１…アダプタケース、６２…第１突起、６３…第２突起、６６ａ…スイッチ操作片、６６ｂ…ＬＥＤ窓、７０…モジュール基板、７７…スイッチラベル、７７ａ…スイッチボタン、７７ｂ…ＬＥＤ窓、７９…アダプタスイッチ、８０…ＬＥＤ、１１２…モータ、１３０…バッテリパック、１３１…バッテリ、１４０…集塵機、１５０…通信アダプタ、２０３…右側半割ハウジング、２０４…左側半割ハウジング。
【図１】
2018069431.tif 000003
【図２】
2018069431.tif 000004
【図３】
2018069431.tif 000005
【図４】
2018069431.tif 000006
【図５】
2018069431.tif 000007
【図６】
2018069431.tif 000008
【図７】
2018069431.tif 000009
【図８】
2018069431.tif 000010
【図９】
2018069431.tif 000011
【図１０】
2018069431.tif 000012
【図１１】
2018069431.tif 000013
【図１２】
2018069431.tif 000014
【図１３】
2018069431.tif 000015
【図１４】
2018069431.tif 000016
【図１５】
2018069431.tif 000017
【図１６】
2018069431.tif 000018
【図１７】
2018069431.tif 000019
【図１８】
2018069431.tif 000020
【図１９】
2018069431.tif 000021